(57)【要約】【課題】作用した揺れに応じてガス流通経路を遮断することができるガス遮断装置を提供する。【解決手段】ガスの流通経路の途中に配置されるガス遮断装置Ａであって、内部にガス通路２が形成されたケーシング１と、ガス通路に配置され、弁座３ａと、弁座から離隔してガス通路を開放し又は弁座と接触してガス通路を遮断する弁体３ｂと、弁体を付勢する弁体付勢部材３ｃと、を有する弁部材３と、ケーシングに摺動可能に配置され、弁体と当接して該弁体を弁座から離隔する方向又は接近させる方向に移動させるピストン４と、ケーシングに配置され、ピストンが弁体を弁座から離隔させた位置で該ピストンを係止する係止部材５と、ケーシングに搖動可能に配置され、搖動したときに係止部材を駆動して該係止部材によるピストンの係止を解除する振子部材６と、を有する。【選択図】    図２
2016169746.tif 000002
【特許請求の範囲】
【請求項１】
ガスの流通経路の途中に配置されるガス遮断装置であって、
ガスの流通経路に配置され内部にガス通路が形成されたケーシングと、
前記ケーシングに形成されたガス通路に配置され、弁座と、該弁座から離隔してガス通路を開放し又は弁座と接触してガス通路を遮断する弁体と、該弁体を付勢する弁体付勢部材と、を有する弁部材と、
前記ケーシングに摺動可能に配置され、前記弁体と当接して該弁体を弁座から離隔する方向又は接近させる方向に移動させるピストンと、
前記ケーシングに配置され、前記ピストンが前記弁体を弁座から離隔させた位置で該ピストンを係止する係止部材と、
前記ケーシングに搖動可能に配置され、搖動したときに前記係止部材を駆動して該係止部材による前記ピストンの係止を解除する振子部材と、を有することを特徴とするガス遮断装置。
【請求項２】
前記係止部材は、ピストンを係止するための係止部を有し且つケーシングに対し回動可能に支持された回動軸と、前記回動軸に取り付けられ前記振子部材によって駆動される被駆動片と、を有することを特徴とする請求項１に記載したガス遮断装置。
【請求項３】
前記振子部材は、ケーシングに対し水平面内で全方向に搖動可能に配置された搖動軸と、前記搖動軸に取り付けられた錘と、前記搖動軸に取り付けられ該搖動軸の搖動に応じて前記係止部材の被駆動片と当接して駆動する駆動片と、を有することを特徴とする請求項１又は２に記載したガス遮断装置。
【請求項４】
前記振子部材の搖動軸は太軸部と細軸部とを有しており、該太軸部の径よりも小径で細軸部の径よりも大径な穴が形成された板部材を前記ケーシングに水平に配置し、前記穴に搖動軸の細軸部を貫通させて配置し、太軸部に於ける前記板部材から離隔した位置に錘を取り付けると共に、細軸部に於ける前記板部材から離隔した位置に駆動片を取り付けたことを特徴とする請求項３に記載したガス遮断装置。
【発明の詳細な説明】
【技術分野】
【０００１】
本発明は、ガスの流通経路の途中に配置されるガス遮断装置に関し、特に、揺れが作用したとき、この揺れに応じてガス通路を遮断することができるガス遮断装置に関するものである。
【背景技術】
【０００２】
住宅では液化石油ガスや都市ガス等の燃料ガス配管が構成され、工場では燃料ガス配管や酸素ガス配管或いは窒素ガス配管等が構成されることがある。このような各種のガス配管からなるガスの流通経路では、該流通経路の途中にガス遮断装置を配置しておくのが一般的である。ガス遮断装置は配置すべきガスの供給経路の特徴や対象とする障害（例えば揺れや温度の上昇）に対応させて機構の異なる幾つかの種類のものが提案されている。
【０００３】
単にガスの流通経路を遮断する際に用いるガス遮断装置としては、ソレノイドと該ソレノイドに駆動される弁体を有し、ソレノイドに通電することによって弁を開閉するように構成されるのが一般的である。
【０００４】
例えば、地震時に作動してガス通路を緊急遮断するためのガス遮断装置としては、ガス通路に震動が作用したときに平面内の全方向に転がるボールを配置しておき、このボールが転がって移動するのに伴って弁体を押し上げてガス通路を閉鎖するように構成したものがある（例えば特許文献１又は特許文献２参照）。
【０００５】
また、例えば火災時に温度が上昇したときに作動してガス通路を緊急遮断するためのガス遮断装置としては、搖動レバーの搖動に伴ってガス通路を開閉し得るように構成し、この搖動レバーをガス通路を開放した位置でバイメタルのような熱変形性固定部材によって固定しておき、温度の上昇に伴って熱変形性固定部材が揺動レバーを搖動させることで、ガス通路を遮断するように構成したものがある（例えば特許文献３参照）。
【先行技術文献】
【特許文献】
【０００６】
【特許文献１】特開平０８−０９１７９０号公報
【特許文献２】特開平１０−０７３１７２号公報
【特許文献３】特開２００９−１５６４６０号公報
【発明の概要】
【発明が解決しようとする課題】
【０００７】
上記各特許文献に記載されたガス遮断装置は夫々の特徴に従ったガスの流通経路に配置されて利用されている。しかし、地震に伴う揺れに応じてガスの流通経路を遮断するガス遮断装置としては、前述の特許文献１、２に記載されたボールを必須とするガス遮断装置以外の構造を持つガス遮断装置の開発も要求されているのが実情である。
【０００８】
本発明の目的は、作用した揺れに応じてガス流通経路を遮断することができるガス遮断装置を提供することにある。
【課題を解決するための手段】
【０００９】
上記課題を解決するために本発明に係るガス遮断装置は、ガスの流通経路の途中に配置されるガス遮断装置であって、ガスの流通経路に配置され内部にガス通路が形成されたケーシングと、前記ケーシングに形成されたガス通路に配置され、弁座と、該弁座から離隔してガス通路を開放し又は弁座と接触してガス通路を遮断する弁体と、該弁体を付勢する弁体付勢部材と、を有する弁部材と、前記ケーシングに摺動可能に配置され、前記弁体と当接して該弁体を弁座から離隔する方向又は接近させる方向に移動させるピストンと、前記ケーシングに配置され、前記ピストンが前記弁体を弁座から離隔させた位置で該ピストンを係止する係止部材と、前記ケーシングに搖動可能に配置され、搖動したときに前記係止部材を駆動して該係止部材による前記ピストンの係止を解除する振子部材と、を有するものである。
【００１０】
上記ガス遮断装置に於いて、前記係止部材は、ピストンを係止するための係止部を有し且つケーシングに対し回動可能に支持された回動軸と、前記回動軸に取り付けられ前記振子部材によって駆動される被駆動片と、を有することが好ましい。
【００１１】
また、上記何れかのガス遮断装置に於いて、前記振子部材は、ケーシングに対し水平面内で全方向に搖動可能に配置された搖動軸と、前記搖動軸に取り付けられた錘と、前記搖動軸に取り付けられ該搖動軸の搖動に応じて前記係止部材の被駆動片と当接して駆動する駆動片と、を有することが好ましい。
【００１２】
また、上記ガス遮断装置に於いて、前記振子部材の搖動軸は太軸部と細軸部とを有しており、該太軸部の径よりも小径で細軸部の径よりも大径な穴が形成された板部材を前記ケーシングに水平に配置し、前記穴に搖動軸の細軸部を貫通させて配置し、太軸部に於ける前記板部材から離隔した位置に錘を取り付けると共に、細軸部に於ける前記板部材から離隔した位置に駆動片を取り付けたことが好ましい。
【発明の効果】
【００１３】
本発明に係るガス遮断装置では、ガスの流通経路に配置されたケーシングに形成されたガス通路に、弁座と、該弁座から離隔してガス通路を開放し又は弁座と接触してガス通路を遮断する弁体と、該弁体を付勢する弁体付勢部材とを有する弁部材が配置されている。このため、弁体を弁座から離隔した位置で保持することでガス通路の開放状態とすることができ、弁体を弁材に接触させることでガス通路を遮断することができる。
【００１４】
従って、ピストンが弁体を弁座から離隔させた位置で該ピストンを係止部材に係止しておくことで、ガス通路を開放した状態とし、係止部材によるピストンの係止を解除して弁体が弁座に接触した状態でガス通路を閉鎖することができる。特に、振子部材が搖動可能に配置されており、揺れが作用したとき該振子部材が揺れて係止部材を駆動し、該係止部材によるピストンの係止を解除するように構成されている。このため、ピストンによって弁座から離隔した位置に保持されていた弁体が、弁体付勢部材に付勢されて弁座側に移動し、弁座に当接してガス通路を遮断することができる。
【００１５】
特に、係止部材が、ピストンを係止するための係止部を有しており、ケーシングに対し回動可能に支持された回動軸と、振子部材によって駆動される被駆動片とを有するので、振子部材が揺れたとき、被駆動片が駆動されて回動軸が回動する。この結果、係止部によるピストンの係止が解除される。従って、弁体はピストンによる拘束が解除され、弁体付勢部材による付勢力が作用して弁座側に移動して当接することができる。
【００１６】
また、振子部材が、水平面内で全方向に搖動可能に配置された搖動軸と、この搖動軸に取り付けられた錘と該搖動軸の搖動に応じて係止部材の被駆動片と当接して駆動する駆動片とを有するので、揺れが作用したとき振子部材は水平面内の全方向に揺動することができる。このため、地震時の揺れに対応することができる。
【００１７】
特に、振子部材の搖動軸が太軸部と細軸部とを有しており、ケーシングには太軸部の径よりも小径で細軸部の径よりも大径な穴が形成された板部材が水平に配置されているため、この穴に搖動軸の細軸部を貫通させて配置し、太軸部に錘を取り付けると共に細軸部に駆動片を取り付けたので、振子部材の水平面内に於ける全方向への揺れを実現することができる。
【図面の簡単な説明】
【００１８】
【図１】本実施例に係るガス遮断装置の構成を説明する図である。
【図２】ガス遮断装置の拡大断面図である。
【図３】ガス遮断装置の作動時の状態を説明する図である。
【発明を実施するための形態】
【００１９】
以下、本発明に係るガス遮断装置について説明する。本発明に係るガス遮断装置は、ガスの流通経路である配管の途中に配置され、通常はガスの流通経路を開放した状態を保持し、地震時にガスの流通経路を遮断するように構成されている。
【００２０】
このため、ガス遮断装置は、ケーシングに形成されたガス通路に、弁座と、この弁座から離隔してガス通路を開放し又は弁座と接触してガス通路を遮断する弁体と、この弁体を付勢する弁体付勢部材とを有する弁部材を有している。そして、ピストンによって弁体を弁座から離隔させた位置に移動させて係止部材によって係止することで、ガス通路を開放してガスを流通させることが可能である。更に、振子部材が搖動したとき、係止部材によるピストンの係止状態を解除することで、弁体付勢部材によって付勢された弁体が弁座に当接してガス通路を閉鎖し、これによりガスを遮断することが可能である。
【００２１】
本発明に於いて「搖動」とは必ずしも往復移動である必要はなく、単に一方向に傾いて元の状態に復帰することのない傾動も含むものである。即ち、振子部材が搖動したとき、該振子部材が当初の姿勢から一方向に傾いてから元の姿勢に復帰する場合と、当初の姿勢から一方向に傾いたまま元の姿勢に復帰しない場合とがある。
【００２２】
本発明に於いて、弁体を付勢する付勢部材が該弁体を付勢する方向を限定するものではなく、弁体を弁座に当接する方向に付勢し、或いは弁体を弁座から離隔する方向に付勢しても良い。即ち、弁体が弁座に当接してガス通路を閉鎖した状態と、弁体が弁座から離隔してガス通路を開放した状態を選択する場合、単に弁体付勢部材のみで可能なわけではなく、弁体を移動させるピストンによる力の方向との関係で設定される。
【００２３】
従って、弁体付勢部材によって弁体が弁座に当接する方向に付勢されている場合、ガス通路を開放する際のピストンは弁体を弁座から離隔させた位置で係止部材によって係止される。そして、係止部材によるピストンの係止が解除されたとき、弁体は弁体付勢部材に付勢されて弁座に当接する。また、弁体が弁座から離隔する方向に付勢されている場合、ピストンは弁体に力を作用させることなく単に接触した状態で係止される。そして、ピストンの係止が解除されたとき、弁体に作用する付勢力に抗して該弁体を弁座の方向に移動させて当接させる。
【００２４】
このように、弁体付勢部材によって弁体を付勢する方向は、弁座に接近させる方向、弁座から離隔させる方向の何れでも良く、ガス遮断装置を配置すべき場所やピストンとの関係で適宜設定することが好ましい。
【００２５】
ピストンは弁体を弁座に対し離隔又は接近させる方向に移動させるものである。このため、ピストンは弁体が移動し得る方向と平行に移動可能に配置されることが好ましい。このようなピストンでは、直接弁体と接触して動作に沿った最適な方向に移動させることが可能となる。しかし、歯車やベルト等の伝動機構を介して弁体を移動させるような場合、必ずしもピストンの移動方向が弁体の移動方向と平行である必要はない。
【００２６】
係止部材はピストンを係止する機能を有する。特に、通常の使用状態では確実にピストンを係止しておき、振子部材が搖動して駆動されたとき、速やかに且つ確実にピストンの係止を解除し得ることが必要である。このように、ピストンの確実な係止と、確実な係止の解除が可能な形状又は構造であれば良い。
【００２７】
振子部材は、地震時の揺れ或いは地震以外の揺れが作用したときに搖動し、この搖動によって係止部材を駆動して該係止部材によるピストンの係止を解除するものである。このため、振子部材は前記機能を有するものであれば利用することが可能であり、構造を限定するものではない。このような振子部材としては、下端に錘を取り付けた棒状の軸を水平に配置した板に対し、全方向に搖動し得るように配置しておき、該軸に係止部材を駆動するための部材を有する構造があり、利用することが可能である。また、上端に錘を取り付けた棒状の軸を水平に配置した板に対し、全方向に搖動し得るように配置しておき、該軸に係止部材を駆動するための部材を有する構造も利用することが可能である。
【００２８】
振子部材は、搖動支点から錘までの距離を適宜選択することによって、揺れに対する感度を調整することが可能である。このため、搖動支点から錘までの距離は限定するものではなく、適宜調整し得るように構成することが好ましい。
【００２９】
また、振子部材が搖動したとき、該振子部材によって係止部材を駆動してピストンの係止を解除する。このとき、振子部材の搖動、及び搖動部材の搖動に対する係止部材の反応があまり敏感であると、例えば交通震動のような僅かな揺れであってもガス通路を遮断してしまうこととなる。
【００３０】
従って、揺れに対応して生じる振子部材の搖動の反応、振子部材の搖動に応じた係止部材の駆動、等の条件は対象となるガスの流通経路の条件に対応させて最適な状態に設定しておくことが好ましい。このように適宜条件を設定し得るようにするには、振子部材では前述したように搖動支点から錘までの距離を調整し得るように構成しておくことが好ましい。更に、振子部材によって係止部材を駆動する際に、振子部材に極僅かな揺れが生じたときはこの揺れを無視し得るように構成することが好ましい。
【００３１】
以下、本発明に係るガス遮断装置の実施例について図を用いて説明する。
【００３２】
ガス遮断装置Ａは、内部にガス通路２が形成されたケーシング１を有しており、該ガス通路２に弁部材３が配置されている。また、ケーシング１の内部にはピストン４が摺動可能に配置され、外部には係止部材５、振子部材６が夫々配置されている。
【００３３】
ケーシング１は、本体１ａと、本体１ａの上部を被蓋するキャップ１ｂと、キャップ１ｂから上部に突出して形成されたボス１ｃと、を有している、キャップ１ｂは本体１ａに螺合して取り付けられており、両者の接合部分にはシールパッキン１ｄが配置されてガスの漏洩を防いでいる。また、ボス１ｃはキャップ１ｂに螺合して取り付けられており、両者の接合部分にはＯリング１ｅが配置されてガスの漏洩を防いでいる。
【００３４】
ケーシング１の内部に形成されたガス通路２は、本体１ａに形成された一方の開口２ａから他方の開口２ｂに通じており、このガス通Ｌ通路２の途中に弁部材３が配置されている。即ち、ケーシング１の本体１ａには、上部にノズル１１を有する弁室１０が形成されており、この弁室１０に弁部材３が構成されている。そして、ガス通路２は、開口２ａから弁室１０に至り、該弁室１０のノズル１１からガス室２ｃに至り、更に、ガス室２ｃから開口２ｂに至っている。
【００３５】
ノズル１１の弁室１０側には、リング状の突起からなる弁座３ａが形成されている。この弁室１０には、弁座３ａに対し離隔、接近し得るように形成された弁体３ｂと、該弁体３ｂを弁座３ａ側に向けて付勢する付勢部材となるバネ３ｃが配置されている。
【００３６】
弁体３ｂは、弁座３ａと接触したときにガス通路２を閉鎖してガスの流通を遮断するものである。このため、弁体３ｂの弁座３ａに接触する部位にはパッキン３ｂ１が設けられており、該パッキン３ｂ１を介して弁座３ａと接触することで、ガス通路２の確実な閉鎖を実現し得るように構成されている。
【００３７】
また、弁体３ｂにはピン３ｂ２が一体的に設けられている。このピン３ｂ２は、先端３ｂ３がノズル１１を通過してガス室３ｃに至り、該ガス室３ｃに露出しているピストン４の端面４ａと当接している。従って、ピストン４による弁体３ｂを弁座３ａから離隔させる方向に移動させる際の力はピン３ｂ２を介して伝えられる。
【００３８】
ピストン４は弁部材３を構成する弁体３ｂを弁座３ａから離隔する方向に移動させるものであり、ケーシング１のボス１ｃに摺動可能に配置されている。ピストン４の一方（図に於ける下方）の端面４ａはガス室２ｃに露出しており、他方の端部４ｂはボス１ｃから突出してケーシング１の外部に配置されている。この端部４ｂに係止片４ｃが設けられており、該係止片４ｃが係止部材５に係止される。
【００３９】
ピストン４はバネ１２によって弁体３ｂを弁座３ａから離隔させる方向に付勢されている。このバネ１２は弁体３ｂを弁座３ａから離隔させる機能を有するものではなく、ガス室２ｃに作用するガス圧に対抗する機能を有する。例えば、ガス通路２にガスが流通したとき、このガス圧が端面４ａに作用しピストン４をボス１ｃから外部に離脱させる方向の力が作用する。このため、ピストン４が係止部材５による係止から離脱してしまうことがあり、バネ１２によってガス室１ｃに作用するガス圧に対抗させることで、係止部材５によるピストン４の係止を確実に行うことが可能である。
【００４０】
ケーシング１を構成するボス１ｃの外周には板部材１５が設けられている。この板部材１５は、水平状態を保持してボス１ｃの外周に嵌合し、ボス１ｃに固定ねじ１６を締結することで固定されている。そして、板部材１５に於けるボス１ｃを挟んだ一方側に係止部材５が構成され、他方側に振子部材６が構成されている。
【００４１】
係止部材５は、ケーシング１に固定された板部材１５に回動可能に支持された回動軸５ａと、回動軸５ａの下端部から振子部材６側に向けて略直角に形成された被駆動片５ｂと、を有して構成されている。
【００４２】
回動軸５ａには、上端側の所定位置にピストン４の係止片４ｃを係止するために溝状の係止部５ｃが形成されており、下端側の所定位置には回動ピン５ｄが配置され、該回動ピン５ｄを介して板部材１５に回動可能に支持されている。回動軸５ａの下端に被駆動片５ｂが取り付けられている。被駆動片５ｂは、板部材１５の下側であって該板部材１５に設けた振子部材６の下方にまで延長されている。
【００４３】
上記の如く構成された係止部材５では、回動ピン５ｄを回転中心として図に於ける反時計方向の回動力が作用することとなり、回動軸５ａの係止部５ｃにピストン４を係止した状態を保持することが可能である。特に、回動軸５ａに於ける回動ピン５ｄの位置、即ち、回動ピン５ｄから係止歩５ｃまでの距離と回動ピン５ｄから被駆動片５ｂまでの距離の比率は、振子部材６によって被駆動片５ｂを駆動した後、係止部５ｃがピストン４を開放するまでの時間に影響を与える。このため、目的のガスの流通経路に於けるガス圧や流量、種類等の条件に対応させて適宜設定することが好ましい。
【００４４】
振子部材６は地震時に作用する揺れに応じて搖動し、この搖動によって係止部材５によるピストン４の係止を解除するものであり、ケーシング１に対し水平に保持された板部材１５に全方向に搖動し得るように配置されている。このため、振子部材６は、水平面内で全方向に搖動可能に構成された搖動軸６ａと、この搖動軸６ａの上部に取り付けられた錘６ｂと、搖動軸６ａの下端側に取り付けられて係止部材５の被駆動片５ｂを駆動する駆動片６ｃと、を有して構成されている。
【００４５】
搖動軸６ａは、水平に保持された板部材１５に形成された穴１５ａに嵌合して全方向に搖動可能に構成されている。即ち、搖動軸６ａには穴１５ａの径よりも大きい径を持った太軸部６ａ１と、穴１５ａの径よりも充分に小さい径を持った細軸部６ａ２が形成されており、この細軸部６ａ２を穴１５ａに嵌合することで、太軸部６ａ１が板部材１５の表面と接触して支持されている。このため、板部材１５の穴１５ａと細軸部６ａ２との間には充分な隙間が形成され、この隙間の範囲内で自由に搖動或いは移動することが可能である。
【００４６】
そして、搖動軸６ａの太軸部６ａ１に錘６ｂが取り付けられ、細軸部６ａ２の端部に駆動片６ｃが取り付けられている。錘６ｂの太軸部６ａ１に対する取付位置（板部材１５から錘６ｂまでの距離）は、揺れが作用したときの応答時間に影響を与えるため、目的のガスの流通経路に対する遮断速度の条件に応じて適宜設定することが好ましい。
【００４７】
また、搖動軸６ａの細軸部６ａ２の先端は、振子部材６の下方まで延長した係止部材５の被駆動片５ｂの更に下方まで延長されており、この細軸部６ａ２の先端に駆動片６ｃが取り付けられている。このため、振子部材６の駆動片６ｃは搖動軸６ａの搖動に伴って傾き、何れかの部位が被駆動片５ｂの一部の下面に接触して該被駆動片５ｂを持ち上げるように駆動することが可能である。
【００４８】
駆動片６ｃは必ずしも被駆動片５ｂの下面に接触するように配置されている必要はなく、該被駆動片５ｂの上面に接触し得るように配置されていても良い。しかし、本実施例のように駆動片６ｃを被駆動片５ｂの下面側に配置することで、細軸部６ａ２の長さを長くすることとなり、この結果、搖動軸６ａの搖動に伴う駆動片６ｃの外周部分の動きを大きくすることが可能となる。
【００４９】
上記の如くして板部材１５の穴１５ａに細軸部６ａ２を嵌合させた搖動軸６ａは、太軸部６ａ１の細軸部６ａ２側の端面が穴１５ａの周辺の板部材１５の表面と接触し、該板部材１５に対して垂直に配置される。そして、細軸部６ａ２の径が穴１５ａの径よりも充分に小さいことから、搖動軸６は板部材１５による拘束を受けることがない。従って、搖動軸６は不安定な状態で板部材１５に支持されることとなり、揺れが作用したとき、揺れの方向に応じて搖動（傾く）ことが可能である。
【００５０】
搖動軸６ａが水平面内の全方向に搖動し得るように構成されており、該搖動軸６ａが何れの方向に搖動しようとも、駆動片６ｃは確実に被駆動片５ｂと接触して駆動することが必要である。このため、駆動片６ｃは円板状に形成されていることが好ましい。同様に係止部材５を構成する被駆動片５ｂも駆動片６ｃと略同じ半径を持つ半円板状に形成されていることが好ましい。
【００５１】
上記の如く構成されたガス遮断装置Ａは、通常の状態では図１、２に示すように、ピストン４を弁部材３を構成する弁体３ｂを弁座３ａから離隔させる方向に移動させた位置まで押し下げられている。そして、係止片４ｃが係止部材５を構成する回動軸５ａの係止部５ｃに係止された状態で保持されている。この状態では、ケーシング１の内部に形成されたガス通路２は、開口２ａ、弁室１０、ガス室２ｃ、開口２ｂまでが連通し、開口２ａ、２ｂの何れかからガスを供給すると、他方の開口まで障害なく流通する。
【００５２】
次に、ガス遮断装置Ａの作動について図３により説明する。ガス遮断装置Ａは、ガスの流通経路を構成する配管の途中に、板部材１５が水平となるように配置される。このとき、ガス遮断装置Ａに揺れが作用していない通常の状態では、図２に示すように、振子部材６を構成する搖動軸６ａは板部材１５に対し垂直方向に起立した状態を保持している。
【００５３】
ガス遮断装置Ａに揺れが作用した場合、この揺れによる搖動軸６ａの傾斜角度が小さく、駆動片６ｃが被駆動片５ｂに接触することがないと図２の状態を保持する。ガス遮断装置Ａに作用する揺れが大きく、この揺れによって搖動軸６ａが例えば図３に示す矢印方向に大きい角度で傾斜したとき、駆動片６ｃが被駆動片５ｂを駆動することで、弁部材３の弁体３ｂが弁座３ａに接触してガス通路２を閉鎖してガスの流通を遮断する。
【００５４】
即ち、ガス遮断装置Ａに揺れが作用すると、振子部材６を構成する搖動軸６ａが作用した揺れの方向に応じて搖動する。搖動軸６ａが例えば図３に示す矢印方向（反時計方向）に搖動し、この搖動に伴って駆動片６ｃの外周が係止部材５を構成する被駆動片５ｂと接触して該被駆動片５ｂを持ち上げるように駆動する。
【００５５】
上記の如くして被駆動片５ｂが駆動された結果、係止部材５は回動軸５ａが回動ピン５ｄを中心として時計方向に回動する。回動軸５ａの時計方向への回動に伴って係止部５ｃによるピストン４の係止片４ｃに対する係止状態が解除される。このとき、係止片４ｃと係止部５ｃの接触部分には、ガス通路２を構成するガス室２ｃを流通するガスの圧力に伴う力とバネ１２の付勢力との差の力と、弁部材３を構成するバネ３ｃの付勢力が作用して圧接している。しかし、係止部材５がＬ字型に形成され、且つ回動軸５ａが回動ピン５ｄを中心として回動するベルクランク機構を構成するため、回動軸５ａを確実に時計方向に回動させて係止部５ｃによる係止片４ｃの係止を解除することが可能である。
【００５６】
上記の如くして係止片４ｃの係止部５ｃによる係止が解除されると、ピストン４はガス室２ｃに於けるガス圧に伴う力とバネ１２の付勢力との差の力、とバネ３ｃの付勢力とによって図３に於ける上方に移動する。このため、弁体３ｂはバネ３ｃに付勢されて弁座３ａ側に移動して接触し、ノズル１１を閉鎖する。従って、ガス通路２が閉鎖されることとなり、ガス遮断装置Ａを配置したガスの流通経路が遮断される。
【００５７】
ガス遮断装置Ａを図２の状態に復帰させる場合、ガスの流通経路に於ける漏洩の有無等の安全を確認した後、先ず、搖動軸６ａを板部材１５に対し垂直に配置して支持させる。その後、係止片４ｃを押圧して押し下げると共に、回動軸５ａを反時計方向に回動させて係止部５ｃによって係止片４ｃを係止することで良い。
【００５８】
上記の如く、本実施例では弁体３ｂはバネ３ｃによって弁座３ａ側に付勢されている。しかし、前述したように必ずしも弁体３ｂを弁座３ａ側に付勢しておく必要はなく、弁座３ａから離隔させる方向に付勢していても良い。この場合、振子部材６に揺れが作用してピストン４の係止が解除されたとき、ピストン４によって弁体３ｂを弁座３ａ方向に移動させて接触させるように構成することで良い。
【産業上の利用可能性】
【００５９】
本発明に係るガス遮断装置は、ガスの流通経路を流通するガスの種類、圧力、流量等の条件に応じて振子部材６、係止部材５、ピストン４の寸法を設定することで、利用することが可能である。
【符号の説明】
【００６０】
Ａ                ガス遮断装置
１                ケーシング
１ａ              本体
１ｂ              キャップ
１ｃ              ボス
１ｄ              シールパッキン
１ｅ              Ｏリング
２                ガス通路
２ａ、２ｂ        開口
２ｃ              ガス室
３                弁部材
３ａ              弁座
３ｂ              弁体
３ｂ１            パッキン
３ｂ２            ピン
３ｂ３            端面
３ｃ              バネ
４                ピストン
４ａ              端面
４ｂ              端部
４ｃ              係止片
５                係止部材
５ａ              回動軸
５ｂ              被駆動片
５ｃ              係止部
５ｄ              回動ピン
６                振子部材
６ａ              搖動軸
６ａ１            太軸部
６ａ２            細軸部
６ｂ              錘
６ｃ              駆動片
１０              弁室
１１              ノズル
１２              バネ
１５              板部材
１５ａ            穴
１６              固定ねじ
【図１】
2016169746.tif 000003
【図２】
2016169746.tif 000004
【図３】
2016169746.tif 000005